(57)【要約】      （修正有）【課題】放送受信装置が車両に配置され、当該車両が移動することにより放送波の受信状態が変化しても、放送通信連携システムを利用できる装置・方法を提供する。【解決手段】放送受信装置１００は、放送局から送信されるＢ階層放送（１２セグ放送）に含まれる更新契機情報及び更新スケジュール情報を受信すると、当該情報を通信装置３００へ送信する。通信装置３００では、処理制御部が、更新スケジュール情報を参照して、通信コンテンツサーバにアクセスするタイミングになったときには、更新スケジュール情報通りに、更新契機情報を取得したか否かを判定する。そして、処理制御部は、スケジュール通りに更新契機情報を取得した場合には、更新契機情報に基づいて通信コンテンツデータを受信する。一方、処理制御部は、スケジュール通りに更新契機情報を取得しなかった場合には、更新スケジュール情報を参照して通信コンテンツデータを受信する。【選択図】図１
2015186209.tif 000002
【特許請求の範囲】
【請求項１】
番組放送を含むデジタル放送を受信する放送受信装置から送信され、前記デジタル放送の放送番組に関連する通信コンテンツの更新契機に関する情報である更新契機情報、及び、前記放送番組についての少なくとも１つの通信コンテンツの更新契機に関する情報と前記少なくとも１つの更新契機に関する情報に基づいて外部サーバにアクセスするタイミング情報とが関連付けられた更新スケジュール情報を、前記放送受信装置から取得する第１取得部と；
前記第１取得部による取得結果に基づいて、外部サーバにアクセスして前記放送受信装置が受信している放送番組に関連する通信コンテンツ情報を取得する第２取得部と；
を備えることを特徴とする通信装置。
【請求項２】
前記第１取得部が取得した前記更新スケジュール情報を記憶する記憶部を更に備え、
前記第２取得部は、前記更新スケジュール情報の内容通りに、前記第１取得部が前記更新契機情報を取得できなかった場合に、前記更新スケジュール情報の内容に従って、外部サーバにアクセスして放送番組に関連する通信コンテンツ情報を取得する、
ことを特徴とする請求項１に記載の通信装置。
【請求項３】
前記第１取得部により前記放送受信装置から送信される前記更新契機情報が取得されると、前記第２取得部は、前記取得された更新契機情報に基づいて、外部サーバにアクセスして放送番組に関連する通信コンテンツ情報を取得する、ことを特徴とする請求項１又は２に記載の通信装置。
【請求項４】
前記更新契機情報には、放送番組に関連する通信コンテンツのロケーション情報が含まれている、ことを特徴とする請求項１〜３のいずれか一項に記載の通信装置。
【請求項５】
番組放送を含むデジタル放送を受信する放送受信部と；
前記放送受信部が受信している放送番組に関連する通信コンテンツの更新契機に関する情報である更新契機情報、及び、前記放送番組についての少なくとも１つの通信コンテンツの更新契機に関する情報と前記少なくとも１つの更新契機に関する情報に基づいて外部サーバにアクセスするタイミング情報とが関連付けられた更新スケジュール情報を、通信装置に送信する送信部と；
を備えることを特徴とする放送受信装置。
【請求項６】
前記更新契機情報には、放送番組に関連する通信コンテンツのロケーション情報が含まれている、ことを特徴とする請求項５に記載の放送受信装置。
【請求項７】
放送番組に関連する通信コンテンツ情報を受信する通信装置において使用される通信コンテンツ取得方法であって、
番組放送を含むデジタル放送を受信する放送受信装置から送信され、前記デジタル放送の放送番組に関連する通信コンテンツの更新契機に関する情報である更新契機情報、及び、前記放送番組についての少なくとも１つの通信コンテンツの更新契機に関する情報と前記少なくとも１つの更新契機に関する情報に基づいて外部サーバにアクセスするタイミング情報とが関連付けられた更新スケジュール情報を、前記放送受信装置から取得する第１取得工程と；
前記第１取得工程における取得結果に基づいて、外部サーバにアクセスして前記放送受信装置が受信している放送番組に関連する通信コンテンツ情報を取得する第２取得工程と；
を備えることを特徴とする通信コンテンツ取得方法。
【請求項８】
放送番組に関連する通信コンテンツ情報を受信する通信装置が有するコンピュータに、請求項７に記載の通信コンテンツ取得方法を実行させる、ことを特徴とする通信コンテンツ取得プログラム。
【請求項９】
放送番組に関連する通信コンテンツ情報を受信する通信装置が有するコンピュータにより読み取り可能に、請求項８に記載の通信コンテンツ取得プログラムが記録されている、ことを特徴とする記録媒体。
【発明の詳細な説明】
【技術分野】
【０００１】
本発明は、通信装置、放送受信装置、通信コンテンツ取得方法、通信コンテンツ取得プログラム、及び、当該通信コンテンツ取得プログラムが記録された記録媒体に関する。
【背景技術】
【０００２】
従来から、放送局から放送されるデータ放送を含む放送コンテンツ（地上デジタル放送）を受信し、当該データ放送に基づく映像を、番組映像と同時に表示する放送受信装置の普及が進んでいる。また、近年、放送と通信とを組み合せた放送通信連携システムの実用化が開始された。この放送通信連携システムは、放送受信装置が、放送局から放送される放送コンテンツに加えて、サービス事業者からインターネット等の電気通信回線を介して配信される通信コンテンツを受信し、放送コンテンツと通信コンテンツとを連携して再生するサービスである。こうした通信コンテンツの内容としては、放送番組に関連する情報や、天気情報や株式情報といった放送番組とは関連しない情報が含まれている。
【０００３】
そして、放送通信連携システムの実用化に伴い、地上デジタル放送における番組映像と同時に、データ放送に基づく映像や通信コンテンツに基づく映像を表示する技術が提案されている（特許文献１参照：以下、「従来例」と呼ぶ）。この従来例の技術では、番組映像と同時に通信コンテンツに基づく映像を表示している際に、放送コンテンツにより緊急警報信号や緊急地震速報などの緊急又は重要な情報を受信した場合には、通信コンテンツに基づく映像の表示を強制的に中止して、当該放送コンテンツに含まれる緊急又は重要な情報の映像を表示するようになっている。
【先行技術文献】
【特許文献】
【０００４】
【特許文献１】特開２０１２−２５７２２７号公報
【発明の概要】
【発明が解決しようとする課題】
【０００５】
ところで、地上デジタル放送を受信して再生する放送受信装置が車両等の移動体に配置される場合には、放送受信装置による放送受信の環境は、移動体の移動に伴って変化する。そして、放送波の受信状態が良好なときには、放送波の受信処理を行い、放送通信連携サービスを利用することができるが、受信状態が良好でなく、放送番組に関する通信コンテンツの取得・更新情報等を放送波から取得することができないときには、放送通信連携サービスを利用することができない。
【０００６】
さて、近年においては、スマートフォンやタブレット端末等の通信端末が広く普及し、移動体通信を行う環境が整備されてきている。こうした通信環境の整備に伴い、放送通信連携システムを利用する場合に、放送受信装置と通信端末とを連携させて、放送受信装置が受信している放送番組に関する通信コンテンツの取得・更新情報等を通信端末へ送信し、通信端末が、当該情報に基づいて、通信コンテンツをサービス事業者のコンテンツサーバから取得する構成が採用されてきている。こうした構成を採用することにより、放送受信装置や通信端末の表示部を用いた多様な情報提供や、使用しやすいユーザーインターフェイスを実現することができるようになっている。かかる放送受信装置と通信端末とを連携させた放送通信連携システムにおいても、放送受信装置が移動体に配置されているときには、放送受信装置が放送波を受信できない状態では、放送通信連携サービスを利用することができない。
【０００７】
上述した従来例の技術では、放送受信装置を移動体に搭載した場合に、移動体の移動に伴い放送波の受信状態が変化したときの対策を講じていない。したがって、従来例の技術では、移動体の移動により放送波の受信状態が良好でなくなったときには、放送通信連携サービスを利用することができなくなる。
【０００８】
このため、放送受信装置が移動体に配置され、当該移動体が移動することにより放送波の受信状態が変化しても、放送通信連携システムを利用することができる技術が望まれている。かかる要請に応えることが、本発明が解決すべき課題の一つとして挙げられる。
【課題を解決するための手段】
【０００９】
請求項１に記載の発明は、番組放送を含むデジタル放送を受信する放送受信装置から送信され、前記デジタル放送の放送番組に関連する通信コンテンツの更新契機に関する情報である更新契機情報、及び、前記放送番組についての少なくとも１つの通信コンテンツの更新契機に関する情報と前記少なくとも１つの更新契機に関する情報に基づいて外部サーバにアクセスするタイミング情報とが関連付けられた更新スケジュール情報を、前記放送受信装置から取得する第１取得部と；前記第１取得部による取得結果に基づいて、外部サーバにアクセスして前記放送受信装置が受信している放送番組に関連する通信コンテンツ情報を取得する第２取得部と；を備えることを特徴とする通信装置である。
【００１０】
請求項５に記載の発明は、番組放送を含むデジタル放送を受信する放送受信部と；前記放送受信部が受信している放送番組に関連する通信コンテンツの更新契機に関する情報である更新契機情報、及び、前記放送番組についての少なくとも１つの通信コンテンツの更新契機に関する情報と前記少なくとも１つの更新契機に関する情報に基づいて外部サーバにアクセスするタイミング情報とが関連付けられた更新スケジュール情報を、通信装置に送信する送信部と；を備えることを特徴とする放送受信装置である。
【００１１】
請求項７に記載の発明は、放送番組に関連する通信コンテンツ情報を受信する通信装置において使用される通信コンテンツ取得方法であって、番組放送を含むデジタル放送を受信する放送受信装置から送信され、前記デジタル放送の放送番組に関連する通信コンテンツの更新契機に関する情報である更新契機情報、及び、前記放送番組についての少なくとも１つの通信コンテンツの更新契機に関する情報と前記少なくとも１つの更新契機に関する情報に基づいて外部サーバにアクセスするタイミング情報とが関連付けられた更新スケジュール情報を、前記放送受信装置から取得する第１取得工程と；前記第１取得工程における取得結果に基づいて、外部サーバにアクセスして前記放送受信装置が受信している放送番組に関連する通信コンテンツ情報を取得する第２取得工程と；を備えることを特徴とする通信コンテンツ取得方法である。
【００１２】
請求項８に記載の発明は、放送番組に関連する通信コンテンツ情報を受信する通信装置が有するコンピュータに、請求項７に記載の通信コンテンツ取得方法を実行させる、ことを特徴とする通信コンテンツ取得プログラムである。
【００１３】
請求項９に記載の発明は、放送番組に関連する通信コンテンツ情報を受信する通信装置が有するコンピュータにより読み取り可能に、請求項８に記載の通信コンテンツ取得プログラムが記録されている、ことを特徴とする記録媒体である。
【図面の簡単な説明】
【００１４】
【図１】本発明の一実施形態に係る放送受信装置及び通信装置の位置付けを説明するための図である。
【図２】図１の放送局による「更新契機情報」及び「更新スケジュール情報」の送信タイミングの例を説明するための図である。
【図３】図２の「更新契機情報」の内容、及び、「更新スケジュール情報」の内容の例を説明するための図である。
【図４】図１の放送受信装置の構成を概略的に示すブロック図である。
【図５】図４の再生処理ユニットの構成を示すブロック図である。
【図６】図５の放送コンテンツ処理部の構成を示すブロック図である。
【図７】図４の制御ユニットの構成を示すブロック図である。
【図８】図１の通信装置の構成を概略的に示すブロック図である。
【図９】図４の放送受信装置による更新契機情報及び更新スケジュール情報の通信装置への送信処理を説明するためのフローチャートである。
【図１０】図８の通信装置による通信コンテンツの取得処理を説明するためのフローチャートである。
【図１１】図１０の更新スケジュール情報を利用した取得処理を説明するためのフローチャートである。
【図１２】放送局による「更新契機情報」及び「更新スケジュール情報」の送信タイミングの例と、放送波の受信品質に基づいて放送受信装置が選択している階層放送の例とを併記した図である。
【発明を実施するための形態】
【００１５】
以下、本発明の一実施形態を、図１〜図１２を参照して説明する。なお、以下の説明及び図面においては、同一又は同等の要素には同一の符号を付し、重複する説明を省略する。
【００１６】
［構成］
図１には、一実施形態に係る放送受信装置１００及び通信装置３００の配置関係が示されている。図１に示されるように、本実施形態では、放送受信装置１００及び通信装置３００は、ケーブルを介して接続され、移動体である車両ＣＲ内に配置されるようになっている。
【００１７】
放送受信装置１００は、放送局から送信される地上デジタルテレビジョン放送波を受信して処理する。また、放送受信装置１００は、移動体通信網と無線通信して、サービス事業者の通信コンテンツサーバ等にアクセス可能となっている。そして、放送受信装置１００は、サービス事業者から電気通信回線を介して配信される通信コンテンツを取得して処理する。すなわち、放送受信装置１００は、放送サービス及び通信サービスを組み合せた放送通信連携サービスを実施する装置となっている。放送受信装置１００の構成については、後述する。
【００１８】
通信装置３００は、例えば、スマートフォンであり、移動体通信網と無線通信して、サービス事業者の通信コンテンツサーバ等にアクセス可能となっている。そして、通信装置３００は、放送受信装置１００と連携して、サービス事業者から電気通信回線を介して配信される通信コンテンツを取得して処理する。通信装置３００の構成については、後述する。また、通信装置３００と放送受信装置１００との間の連携内容についても後述する。
【００１９】
なお、通信装置３００としては、タブレット端末、ＰＤＡ（Personal Digital Assistant）、携帯電話、パーソナルコンピュータ等の通信装置であってもよい。
【００２０】
ここで、放送通信連携サービスは、放送局及びサービス事業者から送信されるアプリケーションを実行することにより実現されるようになっている。そして、実行されるアプリケーションには、放送番組に関連する連動アプリケーションと、放送番組に関連しない非連動アプリケーションとに分類される。本実施形態では、放送受信装置１００と通信装置３００とが連携して実行するアプリケーションは、連動アプリケーションとなっている。
【００２１】
なお、本実施形態に係る放送受信装置１００及び通信装置３００の配置関係を概略的に説明するため、図１には、１つの放送局及び１つのサービス事業者を示しているが、放送受信装置１００は、図示しない他の放送局から放送される放送波の受信が可能であるとともに、図示しない他のサービス事業者のコンテンツサーバにもアクセス可能となっている。また、通信装置３００は、図示しない他のサービス事業者のコンテンツサーバにもアクセス可能となっている。
【００２２】
＜放送局＞
本実施形態に係る放送受信装置１００及び通信装置３００の構成の説明に先立って、本実施形態の放送局について説明する。
【００２３】
本実施形態の放送局は、地上デジタルテレビジョン放送を放送する。地上デジタルテレビジョン放送には、Ａ階層放送（ワンセグ放送）及びＢ階層放送（１２セグ放送）があり、当該放送局は、同一の番組をＡ階層放送及びＢ階層放送で同時に放送する同時放送（サイマル放送）を行っている。
【００２４】
また、本実施形態の放送局は、放送受信装置１００及び通信装置３００に放送通信連携サービスを提供するに際して、放送番組に関連する通信コンテンツの更新契機に関する情報である「更新契機情報ＵＤＩP,J（Ｐ：放送番組識別子；Ｊ＝ａ，ｂ，…）」をＢ階層放送波に含めて送信するようになっている。また、本実施形態の放送局は、放送通信連携サービスを提供するに際して、放送番組についての少なくとも１つの通信コンテンツの更新契機に関する情報と、当該少なくとも１つの更新契機に関する情報に基づいてサービス事業者の通信コンテンツサーバにアクセスするタイミング情報とを関連付けた「更新スケジュール情報ＵＤＳP,K（Ｐ：放送番組識別子；Ｋ＝１，２，…）」をＢ階層放送波に含めて送信するようになっている。
【００２５】
なお、以下の説明においては、更新契機情報ＵＤＩP,Jを、単に「更新契機情報」又は「更新契機情報ＵＤＩ」とも記すことがある。また、更新スケジュール情報ＵＤＳP,Kを、単に「更新スケジュール情報」又は「更新スケジュール情報ＵＤＳ」とも記すことがある。
【００２６】
本実施形態では、上記の「更新契機情報ＵＤＩ」には、放送番組に関連する通信コンテンツのロケーション情報として、ＵＲＩ（Uniform Resource Identifier）が含まれている。そして、「更新契機情報ＵＤＩ」は、サービス事業者の通信コンテンツサーバにアクセスするタイミングで、放送局から送信されるようになっている。また、上記の「更新スケジュール情報ＵＤＳ」は、番組放送中に、放送局が定めた所定のタイミングで、放送局から送信されるようになっている。なお、本実施形態では、放送局が更新スケジュール情報ＵＤＳを送信する際には、更新契機情報ＵＤＩを同時に送信するようになっている。
【００２７】
図２には、放送番組Ｉの放送中に、放送局が「更新契機情報ＵＤＩ」及び「更新スケジュール情報ＵＤＳ」を送信するタイミングの例が示されている。ここで、「更新契機情報ＵＤＩ」及び「更新スケジュール情報ＵＤＳ」の内容を説明する。図３（Ａ）には、図２に示される更新契機情報ＵＤＩP=I,J（Ｊ＝ａ，ｂ，…，ｆ）の内容が示されている。図３（Ａ）に示されるように、更新契機情報ＵＤＩI,Jには、通信コンテンツのＵＲＩI,J（Ｊ＝ａ，ｂ，…，ｆ）が含まれている。
【００２８】
また、図３（Ｂ−１）〜（Ｂ−３）には、図２に示される「更新スケジュール情報ＵＤＳ」の内容の例が示されている。図３（Ｂ−１）に示されるように、更新スケジュール情報ＵＤＳP=I,1は、時刻ＴI,a以降における通信コンテンツサーバにアクセスする時刻Ｔと通信コンテンツのＵＲＩとを関連付けたスケジュール情報となっている。また、図３（Ｂ−２）に示されるように、更新スケジュール情報ＵＤＳI,2は、時刻ＴI,d以降における通信コンテンツサーバにアクセスする時刻Ｔと通信コンテンツのＵＲＩとを関連付けたスケジュール情報となっている。さらに、更新スケジュール情報ＵＤＳI,3は、図３（Ｂ−３）に示されるように、時刻ＴI,e以降における通信コンテンツサーバにアクセスする時刻Ｔと通信コンテンツのＵＲＩとを関連付けたスケジュール情報となっている。
【００２９】
＜放送受信装置１００の構成＞
次に、上記の放送受信装置１００の構成について、説明する。
【００３０】
放送受信装置１００は、図４に示されるように、アンテナ１１０と、ＲＦ処理ユニット１２０と、無線通信ユニット１３０と、インターフェイス１３５と、再生処理ユニット１４０とを備えている。また、放送受信装置１００は、入力ユニット１５０と、音出力ユニット１６０と、表示ユニット１７０と、制御ユニット１９０とを備えている。
【００３１】
上記のアンテナ１１０は、放送局から送信されている地上デジタルテレビジョン放送波を受信する。アンテナ１１０による受信信号ＲＦＳは、ＲＦ処理ユニット１２０へ送られる。
【００３２】
上記のＲＦ処理ユニット１２０は、アンテナ１１０から送られた受信信号ＲＦＳを受ける。そして、ＲＦ処理ユニット１２０は、制御ユニット１９０から送られた選局指令ＣＳＬに従って、選局すべき希望放送局の信号を受信信号ＲＦＳから抽出する選局処理を行い、所定の中間周波数帯の成分を有する中間周波信号ＩＦＤ（以下、単に「信号ＩＦＤ」）に変換する。こうして得られた信号ＩＦＤは、再生処理ユニット１４０へ送られる。ここで、信号ＩＦＤは、デジタル信号となっている。なお、ＲＦ処理ユニット１２０は、放送受信部の機能を果たすようになっている。
【００３３】
上記の無線通信ユニット１３０は、不図示のアンテナ等を備えて構成されている。この無線通信ユニット１３０は、当該アンテナから受信した受信信号を処理して、再生処理ユニット１４０及び制御ユニット１９０で処理可能なデジタルデータ信号に変換する。また、無線通信ユニット１３０は、制御ユニット１９０から送られた送信信号を処理して、無線信号に対応する信号に変換し、アンテナへ送る。
【００３４】
この無線通信ユニット１３０を利用し、制御ユニット１９０による制御のもとで、放送番組に関連する連動アプリケーションのロケーション情報等を指定した連動アプリケーションの取得要求をサービス事業者のサーバへ送信することにより、無線通信ユニット１３０は、所望の連動アプリケーションを受信することができる。こうして受信された連動アプリケーションは、制御ユニット１９０へ送られる。
【００３５】
また、この無線通信ユニット１３０を利用し、制御ユニット１９０による制御のもとで、更新契機情報に含まれる通信コンテンツのロケーション情報を指定した通信コンテンツ情報の取得要求をサービス事業者の通信コンテンツサーバへ送信することにより、無線通信ユニット１３０は、所望の通信コンテンツＣＣＤを受信することができる。こうして受信された通信コンテンツＣＣＤは、再生処理ユニット１４０へ送られる。
【００３６】
上記のインターフェイス１３５は、放送受信装置１００と通信装置３００との間におけるデータ授受に際して利用される。例えば、放送受信装置１００が受信した「更新契機情報ＵＤＩ」及び「更新スケジュール情報ＵＤＳ」は、インターフェイス１３５を介して、通信装置３００へ送られる。また、放送受信装置１００が受信した通信装置用の連動アプリケーションは、インターフェイス１３５を介して、通信装置３００へ送られる。なお、インターフェイス１３５は、送信部の一部の機能を果たすようになっている。
【００３７】
上記の再生処理ユニット１４０は、制御ユニット１９０による制御のもとで、ＲＦ処理ユニット１２０から送られる信号ＩＦＤ及び無線通信ユニット１３０から送られる通信コンテンツＣＣＤを処理して、表示ユニット１７０へ送る映像データＩＤＴを生成する。また、再生処理ユニット１４０は、制御ユニット１９０による制御のもとで、ＲＦ処理ユニット１２０から送られる信号ＩＦＤを処理して、音出力ユニット１６０へ供給する音声データＡＤＴを生成する。再生処理ユニット１４０の構成の詳細については、後述する。
【００３８】
上記の入力ユニット１５０は、放送受信装置１００の本体部に設けられたキー部、及び／又はキー部を備えるリモート入力装置等により構成される。ここで、本体部に設けられたキー部としては、表示ユニット１７０の表示デバイスに設けられたタッチパネルを用いることができる。また、キー部を有する構成に代えて、又は併用して音声認識技術を利用して音声にて入力する構成を採用することもできる。
【００３９】
この入力ユニット１５０を利用者が操作することにより、放送受信装置１００の動作内容の設定や動作指令の入力が行われる。例えば、希望放送局を指定した選局指定、通信コンテンツに基づく映像の表示指定等の利用者による入力が、入力ユニット１５０を利用して行われる。入力ユニット１５０への入力内容は、入力データＩＰＤとして、制御ユニット１９０へ送られる。
【００４０】
上記の音出力ユニット１６０は、（ｉ）再生処理ユニット１４０から送られた音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１６０は、選局されているチャンネルの放送波に対応する放送音声を再生出力する。
【００４１】
上記の表示ユニット１７０は、例えば、（ｉ）液晶パネル、有機ＥＬ（Electro Luminescence）パネル、ＰＤＰ（Plasma Display Panel）等の表示デバイスと、（ii）再生処理ユニット１４０から送られた映像データＩＤＴに基づいて、当該表示デバイスに画像を表示させる表示制御回路とを備えている。この表示ユニット１７０は、映像データＩＤＴに基づいて、選局されているチャンネルに対応する番組放送映像、通信コンテンツに基づく映像を再生表示する。
【００４２】
上記の制御ユニット１９０は、様々な処理を行うとともに、放送受信装置１００の全体の動作を制御する。なお、制御ユニット１９０の構成の詳細については、後述する。
【００４３】
《再生処理ユニット１４０の構成》
次に、再生処理ユニット１４０の構成について説明する。
【００４４】
再生処理ユニット１４０は、図５に示されるように、復調部１４１と、デマルチプレクサ部１４２と、放送コンテンツ処理部１４３とを備えている。また、再生処理ユニット１４０は、通信コンテンツ処理部１４４と、表示映像作成部１４５とを備えている。
【００４５】
上記の復調部１４１は、ＲＦ処理ユニット１２０から送られた信号ＩＦＤを受ける。そして、復調部１４１は、信号ＩＦＤに対してＯＦＤＭ（Orthogonal Frequency Division Multiplex）復調を施す。こうして復調された信号は、信号ＤＭＤとして、デマルチプレクサ部１４２へ送られる。
【００４６】
また、復調部１４１は、信号ＩＦＤにおけるＣＮＲ（Carrier to Noise Ratio）を検出する。この検出結果は、検出値ＣＮＲとして、制御ユニット１９０へ送られる。
【００４７】
上記のデマルチプレクサ部１４２は、復調部１４１から送られた信号ＤＭＤを受ける。そして、デマルチプレクサ部１４２は、信号ＤＭＤの復号処理を行い、信号ＤＭＤをＡ階層データパケットＡＰＫ及びＢ階層データパケットＢＰＫに分離する。こうして分離されたＡ階層データパケットＡＰＫ及びＢ階層データパケットＢＰＫは、放送コンテンツ処理部１４３へ送られる。
【００４８】
また、デマルチプレクサ部１４２は、音声、番組映像、データ放送以外の復号結果を、信号ＤＢＤとして制御ユニット１９０へ送る。かかる信号ＤＢＤに含まれる情報としては、上述した「更新契機情報」、「更新スケジュール情報」がある。また、信号ＤＢＤに含まれる情報としては、アプリケーション情報テーブル、連動アプリケーション等のアプリケーションファイルなどがある。このアプリケーション情報テーブルには、アプリケーション名、アプリケーションＩＤ、アプリケーションの起動及び終了などを制御する制御情報、アプリケーションファイルの配信用サーバのロケーション情報及びアプリケーションファイルを特定する情報等が含まれている。
【００４９】
上記の放送コンテンツ処理部１４３は、デマルチプレクサ部１４２から送られたＡ階層データパケットＡＰＫ及びＢ階層データパケットＢＰＫを受ける。そして、放送コンテンツ処理部１４３は、制御ユニット１９０による制御のもとで、音声データＡＤＴを生成して音出力ユニット１６０へ送るとともに、放送コンテンツ映像データＩＢＴを生成して表示映像作成部１４５へ送る。放送コンテンツ処理部１４３の構成の詳細については、後述する。
【００５０】
上記の通信コンテンツ処理部１４４は、制御ユニット１９０による制御のもとで、無線通信ユニット１３０から送られた通信コンテンツＣＣＤを復号して、通信コンテンツ映像データＩＣＴを生成する。生成された通信コンテンツ映像データＩＣＴは、表示映像作成部１４５へ送られる。
【００５１】
上記の表示映像作成部１４５は、放送コンテンツ処理部１４３から送られる放送コンテンツ映像データＩＢＴを受ける。また、表示映像作成部１４５は、通信コンテンツ処理部１４４から送られる通信コンテンツ映像データＩＣＴを受ける。そして、表示映像作成部１４５は、制御ユニット１９０から送られた映像作成指令ＩＣＣに従って、映像データＩＤＴを作成する。引き続き、表示映像作成部１４５は、生成された映像データＩＤＴを表示ユニット１７０へ送る。
【００５２】
（放送コンテンツ処理部１４３の構成）
上述した放送コンテンツ処理部１４３の構成について説明する。
【００５３】
放送コンテンツ処理部１４３は、図６に示されるように、Ａ階層処理部２３１と、Ｂ階層処理部２３３と、選択部２３４とを備えている。
【００５４】
上記のＡ階層処理部２３１は、デマルチプレクサ部１４２から送られるＡ階層データパケットＡＰＫを受ける。そして、Ａ階層処理部２３１は、地上デジタル放送におけるＡ階層放送に採用されているＨ．２６４／ＡＶＣ方式でエンコード化されたＡ階層データパケットＡＰＫのソースデコード処理を行い、Ａ階層放送に対応する音声データ及び映像データであるＡ階層データＡＡＶを生成する。こうして生成されたＡ階層データＡＡＶは、選択部２３４へ送られる。
【００５５】
上記のＢ階層処理部２３３は、デマルチプレクサ部１４２から送られるＢ階層データパケットＢＰＫを受ける。そして、Ｂ階層処理部２３３は、地上デジタル放送におけるＢ階層放送に採用されているＭＰＥＧ２方式でエンコード化されたＢ階層データパケットＢＰＫのソースデコード処理を行い、Ｂ階層放送に対応する音声データ及び映像データであるＢ階層データＢＡＶを生成する。こうして生成されたＢ階層データＢＡＶは、選択部２３４へ送られる。
【００５６】
上記の選択部２３４は、Ａ階層処理部２３１から送られたＡ階層データＡＡＶ及びＢ階層処理部２３３から送られたＢ階層データＢＡＶを受ける。そして、選択部２３４は、制御ユニット１９０から送られた選択指令ＳＬＢに従って、Ａ階層データＡＡＶ及びＢ階層データＢＡＶのいずれかを選択する。選択部２３４において選択された階層データにおける音声データが、音声データＡＤＴとして音出力ユニット１６０へ送られる。また、選択部２３４において選択された階層データにおける映像データが、放送コンテンツ映像データＩＢＴとして表示映像作成部１４５へ送られる。
【００５７】
《制御ユニット１９０の構成》
次いで、制御ユニット１９０の構成について説明する。
【００５８】
制御ユニット１９０は、図７に示されるように、選局処理部１９１と、階層選択処理部１９２と、放送通信連携サービス実行部１９３とを備えている。
【００５９】
上記の選局処理部１９１は、入力ユニット１５０から送られた入力データＩＰＤの内容が選局指定であった場合には、指定された希望放送局に対応する選局指令ＣＳＬを生成する。そして、選局処理部１９１は、生成された選局指令ＣＳＬを、ＲＦ処理ユニット１２０へ送る。
【００６０】
上記の階層選択処理部１９２は、復調部１４１から送られたＣＮＲ（Carrier to Noise Ratio）の検出値ＣＮＲに基づいて、放送波の受信品質を評価する。そして、放送波の受信品質に基づきＢ階層放送に基づくコンテンツ再生が可能であると判定した場合には、階層選択処理部１９２は、Ｂ階層放送を出力対象放送に選択する選択指令ＳＬＢを生成して、選択部２３４へ送る。一方、放送波の受信品質に基づきＢ階層放送に基づくコンテンツ再生が可能ではないと判定した場合には、階層選択処理部１９２は、Ａ階層放送を出力対象放送に選択する選択指令ＳＬＢを生成して、選択部２３４へ送る。
【００６１】
上記の放送通信連携サービス実行部１９３は、デマルチプレクサ部１４２から送られた信号ＤＢＤに含まれる情報を受けて、放送通信連携サービスを実行する。すなわち、放送通信連携サービス実行部１９３は、信号ＤＢＤに「更新契機情報」及び「更新スケジュール情報」が含まれている場合には、当該更新契機情報及び更新スケジュール情報を、インターフェイス１３５を介して、通信装置３００へ送信する。そして、放送通信連携サービス実行部１９３は、更新スケジュール情報を一時的に保持する。
【００６２】
また、放送通信連携サービス実行部１９３は、信号ＤＢＤに「更新スケジュール情報」が含まれておらず、かつ、「更新契機情報」が含まれている場合には、当該更新契機情報を、インターフェイス１３５を介して、通信装置３００へ送信する。なお、放送通信連携サービス実行部１９３が実行する「更新契機情報」及び「更新スケジュール情報」の通信装置３００への送信処理の詳細については、後述する。
【００６３】
さらに、放送通信連携サービス実行部１９３は、デマルチプレクサ部１４２から送られた信号ＤＢＤに放送番組に関連する通信装置用の連動アプリケーションが含まれている場合には、当該連動アプリケーションを、インターフェイス１３５を介して、通信装置３００へ送信する。
【００６４】
また、放送通信連携サービス実行部１９３は、更新契機情報を受けると、当該更新契機情報を参照して、通信コンテンツサーバから通信コンテンツデータを受信すべき旨の指令を無線通信ユニット１３０へ送るとともに、当該受信する通信コンテンツデータの処理を行うべき旨の通信コンテンツ処理指令ＣＥＣを生成して、通信コンテンツ処理部１４４へ送る。また、放送通信連携サービス実行部１９３は、実行しているアプリケーションに従って、番組映像と通信コンテンツに基づく映像とを同時に表示すべき旨の映像作成指令ＩＣＣを生成して、表示映像作成部１４５へ送る。
【００６５】
なお、放送通信連携サービス実行部１９３は、送信部の一部の機能を果たすようになっている。
【００６６】
＜通信装置３００の構成＞
次に、上記の通信装置３００の構成について、説明する。
【００６７】
通信装置３００は、図８に示されるように、記憶部３１０と、無線通信部３３０と、インターフェイス３３５とを備えている。また、通信装置３００は、入力部３５０と、表示部３７０と、処理制御部３９０とを備えている。
【００６８】
上記の記憶部３１０は、不揮発性のメモリ等から構成されている。記憶部３１０は、放送受信装置１００から送られた「更新スケジュール情報」等の様々なデータを記憶する。この記憶部３１０には、処理制御部３９０がアクセスできるようになっている。
【００６９】
上記の無線通信部３３０は、不図示のアンテナ等を備えて構成されている。この無線通信部３３０は、当該アンテナから受信した受信信号を処理して、処理制御部３９０で処理可能なデジタルデータ信号に変換する。また、無線通信部３３０は、処理制御部３９０から送られた送信信号を処理して、無線信号に対応する信号に変換し、アンテナへ送る。
【００７０】
この無線通信部３３０を利用し、通信装置３００は、処理制御部３９０による制御のもとで、「更新契機情報」又は「更新スケジュール情報」に含まれる放送番組に関連する通信コンテンツのロケーション情報を指定した通信コンテンツ情報の取得要求をサービス事業者の通信コンテンツサーバへ送信することにより、所望の通信コンテンツを受信することができる。こうして受信された通信コンテンツは、処理制御部３９０へ送られる。
【００７１】
また、この無線通信部３３０を利用し、処理制御部３９０による制御のもとで、放送番組に関連する連動アプリケーションのロケーション情報等を指定した連動アプリケーションの取得要求をサービス事業者のサーバへ送信することにより、所望の連動アプリケーションを受信することができる。こうして受信された連動アプリケーションは、処理制御部３９０へ送られる。
【００７２】
なお、無線通信部３３０は、第２取得部の一部の機能を果たすようになっている。
【００７３】
上記のインターフェイス３３５は、通信装置３００と放送受信装置１００との間におけるデータ授受に際して利用される。例えば、上述したように、放送受信装置１００が受信した「更新契機情報ＵＤＩ」及び「更新スケジュール情報ＵＤＳ」は、インターフェイス３３５を介して、通信装置３００へ送られる。
【００７４】
また、放送受信装置１００が受信した放送番組に関連する通信装置用の連動アプリケーションは、インターフェイス３３５を介して、通信装置３００へ送られる。
【００７５】
なお、インターフェイス３３５は、第１取得部の一部の機能を果たすようになっている。
【００７６】
上記の入力部３５０は、キー部等を備えて構成されている。ここで、キー部としては、表示部３７０の液晶装置に設けられたタッチパネルを用いることができる。また、キー部を有する構成に代えて、又は併用して音声認識技術を利用して音声にて入力する構成を採用することもできる。この入力部３５０を利用者が操作することにより、通信コンテンツに基づく映像の表示指定等の入力を行うことができる。
【００７７】
上記の表示部３７０は、表示デバイス等を備えて構成される。そして、表示部３７０は、処理制御部３９０から送られた通信コンテンツ映像データを受けると、当該通信コンテンツ映像データに基づいて、通信コンテンツに基づく映像を再生表示する。
【００７８】
上記の処理制御部３９０は、時計機構を内蔵しており、放送通信連携サービスを実行する。すなわち、処理制御部３９０は、インターフェイス３３５を介して、放送受信装置１００から送られる「更新契機情報ＵＤＩ」及び「更新スケジュール情報ＵＤＳ」を受けると、当該情報に基づいて、通信コンテンツサーバから通信コンテンツデータを受信すべき旨の指令を無線通信部３３０へ送る。引き続き、無線通信部３３０から送られる通信コンテンツデータを受けると、処理制御部３９０は、当該通信コンテンツデータを復号して、通信コンテンツ映像データを生成する。生成された通信コンテンツ映像データは、表示部３７０へ送られる。また、処理制御部３９０は、放送受信装置１００から送られた更新スケジュール情報ＵＤＳを受けると、当該更新スケジュール情報ＵＤＳを記憶部３１０に記憶する。
【００７９】
処理制御部３９０が実行する通信コンテンツの取得処理の詳細については、後述する。なお、処理制御部３９０は、第１取得部の一部及び第２取得部の一部の機能を果たすようになっている。
【００８０】
［動作］
以上のようにして構成された放送受信装置１００及び通信装置３００の動作について、放送受信装置１００による更新契機情報及び更新スケジュール情報の通信装置３００への送信処理、及び、通信装置３００による通信コンテンツの取得処理に主に着目して説明する。
【００８１】
＜放送受信装置１００による更新契機情報及び更新スケジュール情報の送信処理＞
まず、放送受信装置１００による更新契機情報及び更新スケジュール情報の通信装置３００への送信処理について説明する。
【００８２】
かかる更新契機情報及び更新スケジュール情報の送信処理は、利用者による希望放送局を指定した選局指定により開始する。また、かかる送信処理は、希望放送局の選局中に、新たな放送番組が放送されることにより開始する。こうして当該送信処理が開始されると、ＲＦ処理ユニット１２０は、希望放送局の信号を受信信号ＲＦＳから抽出する選局処理を行い、所定の中間周波数帯の成分を有する信号ＩＦＤに変換する。そして、ＲＦ処理ユニット１２０は、当該信号ＩＦＤを、再生処理ユニット１４０へ送る（図４参照）。
【００８３】
再生処理ユニット１４０では、復調部１４１が、ＲＦ処理ユニット１２０から送られた信号ＩＦＤの復調処理を行い、信号ＤＭＤを生成する。そして、復調部１４１は、生成された信号ＤＭＤをデマルチプレクサ部１４２へ送る（図５参照）。また、復調部１４１は、信号ＩＦＤにおけるＣＮＲを検出し、検出値ＣＮＲを制御ユニット１９０へ逐次送る（図５参照）。次いで、デマルチプレクサ部１４２が、復調部１４１から送られた信号ＤＭＤをＡ階層データパケットＡＰＫ、Ｂ階層データパケットＢＰＫ及び信号ＤＢＤに分離する。そして、デマルチプレクサ部１４２は、Ａ階層データパケットＡＰＫ及びＢ階層データパケットＢＰＫを放送コンテンツ処理部１４３へ送る（図５参照）。また、デマルチプレクサ部１４２は、分離された信号ＤＢＤを制御ユニット１９０の放送通信連携サービス実行部１９３へ送る（図５，７参照）。
【００８４】
このような状況のもとで、図９に示されるように、まず、ステップＳ１１において、放送通信連携サービス実行部１９３が、信号ＤＢＤに更新契機情報が含まれているか否かを判断することにより、更新契機情報を受信したか否かを判定する。この判定の結果が否定的であった場合（ステップＳ１１：Ｎ）には、ステップＳ１１の処理が繰り返される。
【００８５】
更新契機情報を受信して、ステップＳ１１における判定の結果が肯定的となると（ステップＳ１１：Ｙ）、処理はステップＳ１２へ進む。ここで、ステップＳ１１における判定の結果が肯定的となる場合には、階層選択処理部１９２が、放送波の受信品質に基づきＢ階層放送に基づくコンテンツ再生が可能であると判定したときであり、Ｂ階層放送が出力対象放送に選択されている。
【００８６】
ステップＳ１２では、放送通信連携サービス実行部１９３が、信号ＤＢＤに更新スケジュール情報が含まれているか否かを判断することにより、更新契機情報と同時に、更新スケジュール情報を受信したか否かを判定する。この判定の結果が否定的であった場合（ステップＳ１２：Ｎ）には、処理は、後述するステップＳ１４へ進む。
【００８７】
ステップＳ１２における判定の結果が肯定的であった場合（ステップＳ１２：Ｙ）には、処理はステップＳ１３へ進む。ステップＳ１３では、放送通信連携サービス実行部１９３が、更新スケジュール情報を内部に保持している場合に、今回受信した更新スケジュール情報と内部に保持している更新スケジュール情報とで、内容が異なるか否かを判定する。なお、更新スケジュール情報を内部に保持していない場合には、ステップＳ１３における判定の結果は、肯定的となる。この判定の結果が否定的であった場合（ステップＳ１３：Ｎ）には、処理はステップＳ１４へ進む。
【００８８】
ステップＳ１４では、放送通信連携サービス実行部１９３が、受信した更新契機情報を、インターフェイス１３５を介して、通信装置３００へ送信する。この後、処理はステップＳ１１へ戻る。
【００８９】
上述したステップＳ１３における判定の結果が肯定的であった場合（ステップＳ１３：Ｙ）には、処理はステップＳ１５へ進む。ステップＳ１５では、放送通信連携サービス実行部１９３が、内部に既に更新スケジュール情報を保持している場合には、保持する情報を今回受信した更新スケジュール情報に変更する。また、放送通信連携サービス実行部１９３は、更新スケジュール情報を保持していない場合には、今回受信した更新スケジュール情報を内部に保持する。引き続き、ステップＳ１６において、放送通信連携サービス実行部１９３が、受信した更新契機情報及び更新スケジュール情報を、インターフェイス１３５を介して、通信装置３００へ送信する。この後、処理はステップＳ１１へ戻る。
【００９０】
以後、ステップＳ１１〜Ｓ１６の処理が繰り返されて、更新契機情報及び更新スケジュール情報の送信処理が行われる。かかる処理の繰り返し中に、放送局の選局が変更された場合や放送番組が終了した場合には、内部に保持した更新スケジュール情報を消去して、当該送信処理を終了する。そして、新たな希望放送局の指定、新たな放送番組の開始により、上述した更新契機情報及び更新スケジュール情報の通信装置３００への送信処理を開始する。
【００９１】
＜通信装置３００による通信コンテンツの取得処理＞
次に、通信装置３００による通信コンテンツの取得処理について説明する。
【００９２】
かかる通信コンテンツの取得処理は、まず、ステップＳ２１において、処理制御部３９０が、有効な更新スケジュール情報を記憶部３１０に記憶しているか否かを判定する。ここで、有効な更新スケジュール情報とは、更新スケジュール情報に含まれている最後の時刻（例えば、図３に示した時刻ＴI,f）が、現時点において到来していない更新スケジュール情報である。この判定の結果が否定的であった場合（ステップＳ２１：Ｎ）には、処理はステップＳ２２へ進む。
【００９３】
ステップＳ２２では、処理制御部３９０が、放送受信装置１００から送られる更新契機情報を取得したか否かを判定する。この判定の結果が否定的であった場合（ステップＳ２２：Ｎ）には、処理はステップＳ２２の処理が繰り返される。更新契機情報を取得して、ステップＳ２２における判定の結果が肯定的となると（ステップＳ２２：Ｙ）、処理はステップＳ２３へ進む。ここで、ステップＳ２２における判定の結果が肯定的となる場合には、階層選択処理部１９２が、放送波の受信品質に基づきＢ階層放送に基づくコンテンツ再生が可能であると判定したときであり、Ｂ階層放送が出力対象放送に選択されている。
ステップＳ２３では、処理制御部３９０が、更新契機情報と同時に、放送受信装置１００から送られる更新スケジュール情報を取得したか否かを判定する。この判定の結果が否定的であった場合（ステップＳ２３：Ｎ）には、処理は、後述するステップＳ２５へ進む。
【００９４】
ステップＳ２３における判定の結果が肯定的であった場合（ステップＳ２３：Ｙ）には、処理はステップＳ２４へ進む。このステップＳ２４では、処理制御部３９０が、記憶部３１０が既に更新スケジュール情報を記憶している場合には、記憶する情報を今回取得した更新スケジュール情報を変更して記憶部３１０に記憶する。また、処理制御部３９０は、更新契機情報を記憶部３１０に記憶していない場合には、今回取得した更新スケジュール情報を記憶部３１０に記憶する。この後、処理はステップＳ２５へ進む。
【００９５】
ステップＳ２５では、処理制御部３９０が、今回取得した更新契機情報に含まれるＵＲＩに基づいて、通信コンテンツサーバから通信コンテンツデータを受信すべき旨の指令を無線通信部３３０へ送る。こうして当該指令が送られると、無線通信部３３０は、所望の通信コンテンツ情報の取得要求をサービス事業者の通信コンテンツサーバへ送信する。そして、無線通信部３３０は、通信コンテンツサーバから当該所望の通信コンテンツを受信すると、処理制御部３９０へ送る。
【００９６】
処理制御部３９０は、無線通信部３３０から送られた通信コンテンツを受けると、通信コンテンツを復号して通信コンテンツ映像データを生成する。そして、処理制御部３９０は、生成された通信コンテンツ映像データを表示部３７０へ送る。この結果、放送番組に関連する通信コンテンツに基づく映像が、表示部３７０に再生表示される。
【００９７】
上述したステップＳ２１における判定の結果が肯定的であった場合（ステップＳ２１：Ｙ）には、処理はステップＳ２６へ進む。ステップＳ２６では、「更新スケジュール情報を利用した取得処理」が行われる。かかるステップＳ２６の処理の詳細については、後述する。そして、ステップＳ２６の処理が終了すると、現時点で視聴している放送番組に関連する通信コンテンツの取得処理が終了する。
【００９８】
《更新スケジュール情報を利用した取得処理》
次いで、上述したステップＳ２６における「更新スケジュール情報を利用した取得処理」について説明する。
【００９９】
この「更新スケジュール情報を利用した取得処理」は、図１１に示されるように、まず、ステップＳ３１において、処理制御部３９０が、有効な更新スケジュール情報を参照して、通信コンテンツサーバにアクセスするタイミングとなったか否かを判定する。この判定の結果が否定的であった場合（ステップＳ３１：Ｎ）には、ステップＳ３１の処理が繰り返される。
【０１００】
通信コンテンツサーバにアクセスするタイミングとなり、ステップＳ３１における判定の結果が肯定的となると（ステップＳ３１：Ｙ）、処理はステップＳ３２へ進む。このステップＳ３２では、例えば、前後３０秒の所定の時間幅をもって、更新スケジュール情報通りに、放送受信装置１００から送られる更新契機情報を取得したか否かを判定する。ここで、ステップＳ３２における判定の結果が肯定的となる場合には、階層選択処理部１９２が、放送波の受信品質に基づきＢ階層放送に基づくコンテンツ再生が可能であると判定したときであり、Ｂ階層放送が出力対象放送に選択されている。
【０１０１】
ステップＳ３２における判定の結果が肯定的であった場合（ステップＳ３２：Ｙ）には、処理はステップＳ３３へ進む。ステップＳ３３では、処理制御部３９０が、上述したステップＳ２５の処理と同様に、取得した更新契機情報に含まれるＵＲＩに基づいて、通信コンテンツサーバから通信コンテンツデータを受信すべき旨の指令を無線通信部３３０へ送る。こうして当該指令が送られると、無線通信部３３０は、所望の通信コンテンツ情報の取得要求を通信コンテンツサーバへ送信し、通信コンテンツサーバから当該所望の通信コンテンツを受信すると、処理制御部３９０へ送る。
【０１０２】
処理制御部３９０は、通信コンテンツを受けると、通信コンテンツを復号して通信コンテンツ映像データを生成する。そして、処理制御部３９０は、生成された通信コンテンツ映像データを表示部３７０へ送る。この結果、放送番組に関連する通信コンテンツに基づく映像が、表示部３７０に再生表示される。この後、処理はステップＳ３５へ進む。
【０１０３】
ステップＳ３２における判定の結果が否定的であった場合（ステップＳ３２：Ｎ）には、処理はステップＳ３４へ進む。このステップＳ３４では、処理制御部３９０が、更新スケジュール情報を参照して、アクセスタイミングとなっている通信コンテンツのＵＲＩに基づいて、通信コンテンツサーバから通信コンテンツデータを受信すべき旨の指令を無線通信部３３０へ送る。こうして当該指令が送られると、無線通信部３３０は、所望の通信コンテンツ情報の取得要求を通信コンテンツサーバへ送信する。そして、無線通信部３３０は、通信コンテンツサーバから当該所望の通信コンテンツを受信すると、処理制御部３９０へ送る。
【０１０４】
処理制御部３９０は、通信コンテンツを受けると、通信コンテンツを復号して通信コンテンツ映像データを生成し、表示部３７０へ送る。この結果、放送番組に関連する通信コンテンツに基づく映像が、表示部３７０に再生表示される。この後、処理はステップＳ３５へ進む。
【０１０５】
ステップＳ３５では、処理制御部３９０が、記憶部３１０が保持している更新スケジュール情報が無効になったか否かを判定する。ここで、無効な更新スケジュール情報とは、更新スケジュール情報に含まれている最後の時刻（例えば、図３に示した時刻ＴI,f）が、既に到来している更新スケジュール情報である。この判定の結果が否定的であった場合（ステップＳ３５：Ｎ）には、処理はステップＳ３１へ戻る。
【０１０６】
更新スケジュール情報が無効となり、ステップＳ３５における判定の結果が肯定的となると（ステップＳ３５：Ｙ）、ステップＳ２６の処理が終了する。そして、処理制御部３９０による通信コンテンツの取得処理が終了する。
【０１０７】
ここで、図１２では、放送局による「更新契機情報」及び「更新スケジュール情報」の送信タイミングの例と、放送波の受信品質に基づいて放送受信装置が選択している階層放送の例とを併記したものが示されている。この図１２に示されるように、放送番組Ｉの視聴に際して、放送受信装置１００は、時刻ＴI,aから時刻ＴCまでの期間についてはＢ階層放送を出力対象放送に選択し、時刻ＴCから時刻ＴI,fまでの期間についてはＡ階層放送を出力対象放送に選択していたとする。こうした出力対象放送の選択状態では、時刻ＴCから時刻ＴI,fまでの期間については、放送受信装置１００は、放送局から送信される更新契機情報を受信することができない。なお、放送受信装置１００が受信することのできない更新契機情報及び更新スケジュール情報については、図１２において括弧内に示している。
【０１０８】
一方、本実施形態に係る放送受信装置１００では、Ｂ階層放送を出力対象放送としている時刻ＴI,aから時刻ＴCまでの期間に、更新スケジュール情報ＵＤＳI,1を取得する。このため、本実施形態に係る通信装置３００では、放送受信装置１００がＡ階層放送を出力対象放送に選択している時刻ＴCから時刻ＴI,fまでの期間についても、放送受信装置１００から送られた更新スケジュール情報ＵＤＳI,1に基づいてサービス事業者の通信コンテンツサーバにアクセスし、通信コンテンツを取得することができる。
【０１０９】
以上説明したように、本実施形態では、放送受信装置１００が、放送局から送信されるＢ階層放送に含まれる更新契機情報及び更新スケジュール情報を受信すると、当該更新契機情報及び更新スケジュール情報を通信装置３００へ送信する。通信装置３００では、処理制御部３９０が、放送受信装置１００から送られた有効な更新スケジュール情報を参照して、通信コンテンツサーバにアクセスするタイミングとなったか否かを判定する。引き続き、処理制御部３９０は、通信コンテンツサーバにアクセスするタイミングになったときには、更新スケジュール情報通りに、放送受信装置１００から送られるべき更新契機情報を取得したか否かを判定する。そして、処理制御部３９０は、更新スケジュール情報通りに更新契機情報を取得した場合には、取得した更新契機情報に含まれるＵＲＩに基づいて、通信コンテンツサーバから通信コンテンツデータを受信すべき旨の指令を無線通信部３３０へ送る。
【０１１０】
一方、処理制御部３９０は、更新スケジュール情報通りに更新契機情報を取得しなかった場合には、更新スケジュール情報を参照して、アクセスタイミングとなっている通信コンテンツのＵＲＩに基づいて、通信コンテンツサーバから通信コンテンツデータを受信すべき旨の指令を無線通信部３３０へ送る。こうした指令が無線通信部３３０へ送られると、無線通信部３３０は、所望の通信コンテンツ情報の取得要求を通信コンテンツサーバへ送信する。そして、無線通信部３３０は、通信コンテンツサーバから当該所望の通信コンテンツを受信すると、処理制御部３９０へ送る。
【０１１１】
このため、放送受信装置１００が、Ｂ階層放送を出力対象放送に選択していない場合であっても、通信装置３００は、放送番組に関連する通信コンテンツを取得することができる。この結果、利用者の利便性を向上させることができる。
【０１１２】
したがって、本実施形態によれば、放送受信装置が移動体である車両に配置され、当該車両が移動することにより放送波の受信状態が変化しても、放送通信連携システムを利用することができる。
【０１１３】
［実施形態の変形］
本発明は、上記の実施形態に限定されるものではなく、様々な変形が可能である。
【０１１４】
例えば、上記の実施形態では、放送受信装置による更新契機情報及び更新スケジュール情報の送信処理において、更新スケジュール情報を内部に保持し、新たに受信した更新スケジュール情報と内部に保持している更新スケジュールとで、内容が異なるか否かを判定した。これに対して、更新スケジュール情報を内部に保持しないとともに、新たに受信した更新スケジュール情報と内部に保持している更新スケジュールとの差異を判定しないようにしてもよい。この場合には、図９におけるステップＳ１３，Ｓ１５の処理を省略するようにすればよい。
【０１１５】
また、上記の実施形態では、放送局が更新スケジュール情報を送信する際には、更新契機情報を同時に送信するようになっていた。これに対して、更新契機情報と更新スケジュール情報とがそれぞれ異なるタイミングで送信されるような場合には、図９に示される処理に代えて、放送受信装置１００は、更新契機情報を受信した場合には、他の処理を行うことなく当該更新契機情報を通信装置３００へ送信するようにすればよい。また、更新スケジュール情報を受信した場合には、放送受信装置１００は、他の処理を行うことなく、当該更新スケジュール情報を通信装置３００へ送信するようにすればよい。
【０１１６】
また、上記の実施形態では、放送受信装置及び通信装置は、ケーブルを介して接続されて、更新契機情報及び更新スケジュール情報は、有線により放送受信装置から通信装置へ送信されることとした。これに対して、放送受信装置と通信装置との間を有線で接続せずに、無線により更新契機情報及び更新スケジュール情報を放送受信装置から通信装置へ送信するようにしてもよい。
【０１１７】
また、上記の実施形態においては、車両に配置される放送受信装置及び通信装置に本発明を適用したが、車両以外の他の移動体に配置される放送受信装置及び通信装置にも本発明を適用することもできるし、家庭内に配置される放送受信装置及び通信装置にも本発明を適用することができる。
【０１１８】
なお、上記の放送受信装置の制御ユニットの一部又は全部、並びに、通信装置の処理制御部の一部又は全部を中央処理装置（ＣＰＵ：Central Processing Unit）等を備えた演算手段としてのコンピュータとして構成し、予め用意されたプログラムを当該コンピュータで実行することにより、上記の実施形態における制御ユニット、処理制御部の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１１９】
１００  …  放送受信装置
１２０  …  ＲＦ処理ユニット（放送受信部）
１３５  …  インターフェイス（送信部の一部）
１９３  …  放送通信連携サービス実行部（送信部の一部）
３００  …  通信装置
３１０  …  記憶部
３３０  …  無線通信部（第２取得部の一部）
３３５  …  インターフェイス（第１取得部の一部）
３９０  …  処理制御部（第１取得部の一部、第２取得部の一部）
【図１】
2015186209.tif 000003
【図２】
2015186209.tif 000004
【図３】
2015186209.tif 000005
【図４】
2015186209.tif 000006
【図５】
2015186209.tif 000007
【図６】
2015186209.tif 000008
【図７】
2015186209.tif 000009
【図８】
2015186209.tif 000010
【図９】
2015186209.tif 000011
【図１０】
2015186209.tif 000012
【図１１】
2015186209.tif 000013
【図１２】
2015186209.tif 000014